(57)【特許請求の範囲】
【請求項１】
送信システムから伝達データを受信する受信システムであって、
ユーザに伝えるべき情報を含む伝達データ、および当該伝達データを有効な状態にする時刻である有効時刻を含む受信問い合わせ情報を保持するメモリと、
前記送信システムから、伝達データおよび受信問い合わせ情報を受信する受信部と、
前記受信部が受信した伝達データを保持するのに十分な空きを前記メモリが有するか否かを判断する判断部と、
前記受信部が受信した伝達データを保持するのに十分な空きを前記メモリが有しない場合に、前記メモリが保持している伝達データのうち、前記受信部が受信した伝達データに指定されている有効時刻より遅い有効時刻が指定されている伝達データを伝達データサーバに送信する送信部と、
前記メモリが保持している伝達データに指定されている有効時刻に、当該伝達データを読み出して有効な状態にする読出部と
を備える受信システム。
【請求項２】
予め登録された送信元の優先順位に基づいて、前記メモリが保持している、前記有効時刻が同時刻の複数の伝達データの出力の順番を決定するメモリ監視部をさらに備える請求項１に記載の受信システム。
【請求項３】
前記判断部は、前記メモリの空き容量を監視し、前記伝達データサーバが保持している伝達データを保持するのに十分な空き容量を前記メモリが有した場合、および前記伝達データサーバが保持している伝達データに指定されている有効時刻が近づいた場合、前記伝達データサーバが保持している伝達データを受信したい旨を示す受信要求を前記送信部に送信させる請求項１または請求項２に記載の受信システム。
【請求項４】
伝達データを出力する出力部をさらに備え、
前記読出部は、伝達データをデコードし、
前記出力部は、前記読出部がデコードした伝達データを、前記受信システムのユーザが認識可能な形式で出力する請求項１乃至請求項３のいずれかに記載の受信システム。
【請求項５】
前記出力部は、
複数の出力装置と、
伝達データを出力させる前記出力装置を選択する出力制御部と
を有し、
前記受信部は、前記有効時刻に、伝達データを出力させる前記出力装置を示す出力先情報を受け取り、
前記出力制御部は、前記出力先情報によって示された前記出力装置に伝達データを出力させる請求項４に記載の受信システム。
【請求項６】
前記出力部は、プリンタを有し、
前記受信部は、伝達データとして、静止画データを受信し、
前記出力制御部は、前記有効時刻に、静止画データを前記プリンタに送り、
前記プリンタは、前記静止画を印刷する請求項５に記載の受信システム。
【請求項７】
前記出力部は、モニタをさらに有し、
前記受信部は、前記伝達データとして、動画データを受信し、
前記出力制御部は、前記有効時刻に動画データを前記モニタに送り、
前記モニタは、前記動画をモニタ画面に再生出力する請求項５または請求項６に記載の受信システム。
【請求項８】
前記出力部は、スピーカをさらに有し、
前記受信部は、前記伝達データとして、音声データを受信し、
前記出力制御部は、前記有効時刻に音声データを前記スピーカに送り、
前記スピーカは、前記音声データを再生出力する請求項５乃至請求項７のいずれかに記載の受信システム。
【請求項９】
前記受信部は、前記伝達データの種類を示す種類データをさらに受信し、
前記判断部は、前記種類データに基づいて、伝達データを受信するか否かを判断する請求項５乃至請求項８のいずれかに記載の受信システム。
【請求項１０】
前記受信部は、伝達データのデータ量を示すサイズデータをさらに受信し、
前記判断部は、所定のサイズ以下の伝達データを受信することを許可する請求項５乃至請求項９のいずれかに記載の受信システム。
【請求項１１】
ユーザからの指示を入力する操作部をさらに備え、
前記判断部は、前記操作部からの入力に基づいて、伝達データを受信するか否かを判断する請求項５乃至請求項１０のいずれかに記載の受信システム。
【請求項１２】
前記判断部が伝達データの受信を拒否した場合に、前記送信部は、伝達データを受信しないことを前記送信システムに通知する請求項１１に記載の受信システム。
【請求項１３】
前記受信部が伝達データとして動画データを受信し、前記操作部から前記動画データを出力することを指示された場合に、ユーザにその旨を通知する通知部をさらに備え、
前記操作部を介して、動画データの出力を許可された場合に、前記判断部は、前記動画データの出力を許可する請求項１１または請求項１２に記載の受信システム。
【請求項１４】
前記出力部が前記伝達データを出力すると、前記送信部は、出力が完了したことを前記送信システムに通知する請求項５乃至請求項１３のいずれかに記載の受信システム。
【請求項１５】
前記有効時刻に、伝達データを出力先指定データによって指定された前記出力装置に出力できなかった場合に、前記送信部は、伝達データを出力できなかったことを前記送信システムに通知する請求項５乃至請求項１４のいずれかに記載の受信システム。
【請求項１６】
伝達データを前記出力先指定データによって指定された前記出力装置に出力できない場合、指定された前記出力装置以外の、伝達データを出力可能な出力装置に伝達データを出力する処理部をさらに備え、
前記送信部は、前記出力装置を変更したことを前記送信システムに通知する請求項１５に記載の受信システム。
【請求項１７】
伝達データは、所定の雛形及び前記雛形をどのように加工するかを示す修飾データから構成され、
前記メモリは、伝達データの前記修飾データを対応する前記雛形と対応付けて保持し、
前記受信部が受信すべき伝達データの前記雛形を、前記メモリが既に保持する場合、前記受信部は、前記雛形を指定する雛形情報及び前記修飾データを受信する請求項１乃至請求項１６のいずれかに記載の受信システム。
【請求項１８】
送信システムと、前記送信システムから伝達データを受信する受信システムとを備えるデータ伝送システムであって、
前記送信システムは、
ユーザに伝えるべき情報を含む伝達データを作成する伝達データ作成部と、
前記伝達データを受信することを前記受信システムに対して要求する受信問合せ情報を作成する受信問合せ情報作成部と、
前記受信システムが前記伝達データを有効な状態にする有効時刻を決定する有効時刻指定部と、
前記受信問合せ情報を前記受信システムに送信する送信部と
を有し、
前記受信システムは、
ユーザに伝えるべき情報を含む伝達データ、および当該伝達データを有効な状態にする時刻である有効時刻を含む受信問い合わせ情報を保持するメモリと、
前記送信システムから、伝達データおよび受信問い合わせ情報を受信する受信部と、
前記受信部が受信した伝達データを保持するのに十分な空きを前記メモリが有するか否かを判断する判断部と、
前記受信部が受信した伝達データを保持するのに十分な空きを前記メモリが有しない場合に、前記メモリが保持している伝達データのうち、前記受信部が受信した伝達データに指定されている有効時刻より遅い有効時刻が指定されている伝達データを伝達データサーバに送信する送信部と、
前記メモリが保持している伝達データに指定されている有効時刻に、当該伝達データを読み出して有効な状態にする読出部と
を有するデータ伝送システム。
【請求項１９】
前記伝達データサーバは、
前記伝達データ、および当該伝達データを有効な状態にする時刻である有効時刻を示す有効時刻データを保持するメモリと、
前記伝達データサーバのメモリに保持されている前記有効時刻データを監視し、前記有効時刻データが示す有効時刻まで所定の時間になると、当該伝達データを受信すべき受信システムに有効時刻を通知する有効時刻監視部と、
当該伝達データを送信することを示す受信要求を前記受信システムから受信する受信部と、
前記受信システムから前記受信要求を受け取った場合、前記受信要求が示す伝達データを前記受信システムに送信する送信部と
を有する請求項１８に記載のデータ伝送システム。
【発明の詳細な説明】
【０００１】
【発明の属する技術分野】
本発明は、送信システム、受信システム、データサーバ、及びデータ伝送システムに関する。特に本発明は、ユーザに伝えるべき情報を含むデータを送受信する送信システム、受信システム、及びユーザに伝えるべき情報を含むデータを保持するデータサーバ、並びに、これらのシステム及びサーバによって構成されるデータ伝送システムに関する。
【０００２】
【従来の技術】
従来、遠隔から家電機器を操作するシステムが知られている。これは、通信手段を用いて、例えば家電のオンオフ操作ができる。また、さらに、オンオフの時刻を指定可能なシステムも知られている。例えば、特開平８−２７５２５５号公報及び特開平１１−１８７１３４号公報がある。
【０００３】
【発明が解決しようとする課題】
遠隔から家電機器を操作するシステムでは、通信手段を用いて家電機器等の電気的な制御を行っており、受信システムのユーザに対するデータのやり取りは行われていない。
【０００４】
また、データ容量の大きなデータを従来のシステムを介してデータを送信する場合に、長い時間がかかり、問題になっていた。例えば、クリスマスやお正月など多くの人が通信網を介してデータの送受信を行う時期は、通信網が混雑するので、混雑期にデータの送受信を行うのは時間がかかり不便であった。
【０００５】
そこで本発明は、上記の課題を解決することのできる送信システム、受信システム、データサーバ、及びデータ伝送システムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、送信システムからデータ伝送システムを介してデータを受信する受信システムであって、前記データ伝送システムを介して、ユーザに伝えるべき情報を含む伝達データを受信する受信部と、前記伝達データを保持するメモリと、前記メモリから前記伝達データを読み出し、所定の時刻に前記伝達データを有効な状態にする読出部とを備える。
【０００７】
前記伝達データを出力する出力部をさらに備えてもよい。前記読出部は、前記伝達データをデコードし、前記出力部は、前記読出部がデコードした前記伝達データを、前記受信システムのユーザが認識可能な形式で出力してもよい。
【０００８】
前記受信部は、受信した前記伝達データ毎に当該伝達データに対する前記所定の時刻を示す有効時刻データをさらに受信してもよい。前記読出部は、前記有効時刻データが示す時刻になると前記有効時刻データに対応する前記伝達データを、有効な状態にしてもよい。
【０００９】
前記受信部が受信すべき前記伝達データを保持するのに十分な空きを前記メモリが有さない場合に、その旨を前記データ伝送システムに通知する送信部と、前記データ伝送システムに対して、前記伝達データを保持させ、前記受信部に対して、前記所定の時刻よりも前に前記データ伝送システムから前記伝達データを受信させる判断部とをさらに備えてもよい。
【００１０】
前記メモリが同一の有効時刻を示す伝達データを複数保持する場合、前記出力部は、所定の条件に基づいて定められた優先順位に従って伝達データを出力してもよい。
【００１１】
前記出力部は、複数の出力装置と、前記伝達データを出力させる前記出力装置を選択する出力制御部とを有してもよい。前記受信部は、前記所定の時刻に、前記伝達データを出力させる前記出力装置を示す出力先情報を受け取ってもよい。前記出力制御部は、前記出力先情報によって示された前記出力装置に前記伝達データを出力させてもよい。
【００１２】
前記出力部は、プリンタを有してもよい。前記受信部は、前記伝達データとして、静止画データを受信し、前記出力制御部は、前記所定の時刻に、前記静止画データを前記プリンタに送り、前記プリンタは、前記静止画を印刷してもよい。
【００１３】
前記出力部は、モニタをさらに有してもよい。前記受信部は、前記伝達データとして、動画データを受信し、前記出力制御部は、前記所定の時刻に前記動画データを前記モニタに送り、前記モニタは、前記動画をモニタ画面に再生出力してもよい。
【００１４】
前記出力部は、スピーカをさらに有してもよい。前記受信部は、前記伝達データとして、音声データを受信し、前記出力制御部は、前記所定の時刻に前記音声データを前記スピーカに送り、前記スピーカは、前記音声データを再生出力してもよい。
【００１５】
前記受信部は、前記伝達データを受信することを要求する受信問合せ情報を受信してもよい。前記判断部は、前記受信問合せ情報に示された前記伝達データを受信するか否かを判断してもよい。前記判断部が前記受信問合せ情報に示された前記伝達データの受信を許可すると、前記受信部は、前記伝達データを受信してもよい。
【００１６】
前記受信部は、前記伝達データの種類を示す種類データをさらに受信してもよい。前記判断部は、前記種類データに基づいて、前記伝達データを受信するか否かを判断してもよい。
【００１７】
前記受信部は、前記伝達データのデータ量を示すサイズデータをさらに受信してもよい。前記判断部は、所定のサイズ以下の前記伝達データを受信することを許可してもよい。
【００１８】
ユーザからの指示を入力する操作部をさらに備えてもよい。前記判断部は、前記操作部からの入力に基づいて、前記伝達データを受信するか否かを判断してもよい。
【００１９】
前記判断部が前記送信データに対応する前記伝達データの受信を拒否した場合に、前記送信部は、前記伝達データを受信しないことを前記送信システムに通知してもよい。
【００２０】
前記受信部が前記伝達デーとして前記動画データを受信し、前記操作部から前記動画データを出力することを指示された場合に、ユーザにその旨を通知する通知部をさらに備えてもよい。前記操作部を介して、前記動画データの出力を許可された場合に、前記判断部は、前記動画データの出力を許可してもよい。
【００２１】
前記出力部が前記伝達データを出力すると、前記送信部は、出力が完了したことを前記送信システムに通知してもよい。
【００２２】
前記所定の時刻に、前記伝達データを前記出力先指定データによって指定された前記出力装置に出力できなかった場合に、前記送信部は、前記伝達データを出力できなかったことを前記送信システムに通知してもよい。
【００２３】
前記伝達データを前記出力先指定データによって指定された前記出力機器に出力できない場合、前記処理部は、指定された前記出力機器以外の、前記伝達データを出力可能な出力機器に前記伝達データを出力し、前記送信部は、前記出力機器を変更したことを前記送信システムに通知してもよい。
【００２４】
前記伝達データは、所定の雛形及び前記雛形をどのように加工するかを示す修飾データから構成されてもよい。前記メモリは、前記伝達データの前記修飾データを対応する前記雛形と対応付けて保持してもよい。前記受信部が受信すべき前記伝達データの前記雛形を、前記メモリが既に保持する場合、前記受信部は、前記雛形を指定する雛形情報及び前記修飾データを受信してもよい。
本発明の第２の形態は、 データ伝送システムを介して、受信システムにデータを送信する送信システムであって、ーザに伝えるべき情報を含む伝達データを作成する伝達データ作成部と、前記伝達データを受信することを前記受信システムに対して要求する受信問合せ情報を作成する受信問合せ情報作成部と、前記受信システムが前記伝達データを有効な状態にする時刻を決定する有効時刻指定部と、前記受信問合せ情報を前記受信システムに送信する送信部と、前記受信問合せ情報に対する許可を受信する受信部とを備える。前記受信部が前記受信問合せ情報に対する許可を受信した場合に、前記送信部は、前記伝達データ及び前記有効時刻データを前記受信システムに送信する。
【００２５】
本発明の第３の形態は、ユーザに伝えるべき情報を含む伝達データを保持し、データ伝送システムを介して、前記伝達データを送信するデータサーバであって、前記伝達データを保持する伝達データベースと、前記データ伝送システムを介して前記伝達データを送信する送信部とを備える。前記伝達データベースは、前記伝達データ毎に当該伝達データを有効な状態にする時刻を示す有効時刻データを保持し、前記有効時刻データが示す時刻まで所定の時間になると、前記送信部は、前記データ伝送システムに、その旨を通知する。
【００２６】
本発明の第４の形態は、送信システムから受信システムにデータを送信するデータ伝送システムである。前記送信システムは、ユーザに伝えるべき情報を含む伝達データを作成する伝達データ作成部と、前記伝達データを受信することを前記受信システムに対して要求する受信問合せ情報を作成する受信問合せ情報作成部と、前記受信システムが前記伝達データを有効な状態にする時刻を決定する有効時刻指定部と、前記受信問合せ情報を前記受信システムに送信する送信部とを備える。前記受信システムは、前記伝達データを受信する受信部と、前記伝達データを保持するメモリと、前記メモリから前記伝達データを読み出し、前記送信システムの前記有効時刻指定部によって決定された前記時刻に前記伝達データを有効な状態にする読出部とを備える。
【００２７】
前記伝達データを保持するデータサーバをさらに備えてもよい。前記データサーバは、前記伝達データを保持する伝達データベースと、前記データ伝送システムを介して前記伝達データを送信する送信部とを有してもよい。前記伝達データベースは、前記伝達データ毎に、前記伝達データを有効な状態にする時刻を示す有効時刻データを保持してもよい。前記有効時刻データが示す時刻まで所定の時間になると、前記送信部は、前記データ伝送システムに、その旨を通知してもよい。
【００２８】
なお上記の発明の概要は、本発明の必要な特徴の全てを列挙したものではなく、これらの特徴群のサブコンビネーションも又発明となりうる。
【００２９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００３０】
図１は、データ伝送システムの概略を示す。データ伝送システムは、送信システム１００、受信システム２００、及び伝達データサーバ３００を備える。送信システム１００と受信システム２００は通信網４００を介して、例えば、文字データ、静止画データ、動画データ、及び音声データなどユーザが認識可能な情報、すなわちユーザに伝えるべき情報を含む伝達データの送受信を行う。詳しくは、文字データはテキスト、静止画データはＪＰＥＧ、動画データはＭＰＥＧ、音声データはＭＰ３またはＭＩＤＩなどのデータ形式である。通信網４００は、電話回線または専用回線である。
【００３１】
送信システム１００は、受信システム２００に伝達データを送信する。受信システム２００は、伝達データを所定の時刻に有効にする、すなわち出力部２２２に出力する。これによって、受信システム２００のユーザは、指定された有効時刻に伝達データを受け取ることができる。すなわち、送信システム１００のユーザが希望する時刻に受信システム２００のユーザに伝達データを認識してもらうことができる。伝達データサーバ３００は、受信システム２００にかわって伝達データを保持する。送信システム１００、受信システム２００、及び伝達データサーバ３００の詳細な構成及び動作については図２以降で詳述する。
【００３２】
図２は、送信システム１００の概略機能ブロックを示す。送信システム１００は、通信機能を備えた端末であってもよい。送信システム１００は、一例として端末のメインＣＰＵと、メインメモリや不揮発性メモリに格納または、ロードされたプログラムの連携によって実現することができる。メインＣＰＵが内蔵メモリをもつ場合にはその内蔵メモリに必要なプログラムを格納し、諸機能をファームウエアとして実現してもよい。
【００３３】
送信システム１００は、伝達データ処理部１１０、表示部１１２、操作部１１４、判断部１１６、送信部１２０、及び受信部１１８を有する。伝達データ処理部１１０は、伝達データ作成部１３０、有効時刻指定部１３２、受信問合せ情報作成部１３４、及びメモリ１３６を含む。
【００３４】
伝達データ作成部１３０は、伝達データを作成し、伝達データにデータ固有のＩＤ番号及びファイル名を付与し、有効時刻指定部１３２に送る。有効時刻指定部１３２は、受け取った伝達データに対して、この伝達データを有効にする時刻を指定する有効時刻データを作成する。有効時刻指定部１３２は、作成した有効時刻データを伝達データに付与し、伝達データ及び有効時刻データを受信問合せ情報作成部１３４及びメモリ１３６に送る。
【００３５】
受信問合せ情報作成部１３４は、有効時刻指定部１３２から伝達データを受け取り、この伝達データに対応する受信問合せ情報を作成する。受信問合せ情報は、受信システム２００に送信すべき伝達データを保持している旨を通知し、この伝達データを受信可能かどうか問い合わせるデータである。受信問い合わせ情報は、伝達データのファイル名及び／またはＩＤ番号を含む。これによって、受信問合せ情報と伝達データの対応を認識する。受信問合せ情報作成部１３４は、作成した受信問合せ情報を送信部１２０に送る。メモリ１３６は、有効時刻指定部１３２から受け取った伝達データを保持する。
【００３６】
送信部１２０は、受信問合せ情報作成部１３４から受信問合せ情報を受け取って、受信システム２００に送信する。送信部１２０はまた、メモリ１３６に保持された伝達データを受信システム２００または伝達データサーバ３００に送信する。受信部１１８は、受信問合せ情報に対して伝達データの受信を許可または拒否することを示す応答情報を受信システム２００から受信して、判断部１１６に送る。判断部１１６は、応答情報に基づいてメモリ１３６に保持された伝達データを受信システム２００に送信するか否かを判断する。
【００３７】
表示部１１２は、例えばモニタやＬＣＤパネルであってもよく、伝達データの作成及び送信状況等を表示する。表示部１１２はまた、受信問合せ情報の送信完了、受信問合せ情報に対する許否などユーザに通知すべき内容を表示する。このように、ユーザは表示部１１２に表示された内容から現在の状況を把握することができる。
【００３８】
操作部１１４は、ユーザからの入力を受け付ける。操作部１１４は、例えばキーボードやマウスなどである。操作部１１４は、例えば伝達データを作成するときに、ユーザからの入力を受け付ける。この場合、操作部１１４は、入力した指示を伝達データ処理部１１０に送る。伝達データ作成部１１０は、受け取った指示に基づいて、受信システム２００に送信する伝達データを作成する。このように、ユーザインターフェースを用いてユーザは自由に操作することができる。
【００３９】
図３は、伝達データ作成部１３０の概略機能ブロック図である。伝達データ作成部１３０は、雛形選択部１４０、修飾データ作成部１４２、及び雛形保持部１４４を含む。伝達データは、所定の雛形、及び雛形をどのように加工するかを示す修飾データで構成されている。伝達データ作成部１３０は、既製の雛形に修飾データをはめ込んで伝達データを作成する。
【００４０】
雛形保持部１４４は、操作部１１４を介してユーザからの指示を受け付け、ユーザから指示された雛形を伝達データサーバ３００から受信することを示す雛形要求を送信部１２０を介して通信網４００に送信し、受信部１１８を介して通信網４００から雛形を取得して、保持する。雛形保持部１４４はまた、使用頻度が低い雛形を定期的に削除する。これによって、送信システム１００のユーザが使用する頻度の高い雛形だけを雛形保持部１４４に保持させることができる。また、使用頻度の低い雛形については、雛形保持部１４４に保持させる必要がなく、受信部１１８を介してその都度取得すればよい。従って、雛形保持部１４４すなわちメモリを効率的に使用することができる。
【００４１】
雛形選択部１４０は、雛形保持部１４４に保持された雛形から、伝達データを作成するときに用いる雛形を選択する。雛形はＩＤ番号及び／またはファイル名など各雛形に固有の雛形情報を有し、この雛形情報によって各雛形を識別可能である。雛形選択部１４０は、選択した雛形の雛形情報を雛形保持部１４４から取得し、修飾データ作成部１４２に送る。修飾データ作成部１４２は、雛形情報を受け取り、雛形情報が示す雛形にはめ込む修飾データを作成する。このとき、修飾データ作成部１４２は、操作部１１４を介してユーザからの指示を受け付け、指示に基づいて修飾データを作成する。修飾データ作成部１４２は、伝達データとして、雛形情報及び修飾データを有効時刻指定部１３２に送る。このときユーザは、通知部１１２に表示された内容にそって、操作部１１４を介して適宜、指示を入力する。
【００４２】
このように、通信網４００を介して送受信される伝達データは、雛形を有さず、雛形情報及び修飾データから構成されるので、雛形及び修飾データから構成される場合に比べて伝達データの容量をより少なくすることができる。従って、転送時間を短縮することができる。
【００４３】
またこのように、予め雛形が準備され、表示部１１２に表示された手順に従って伝達データを作成するので、送信システム１００の使い方に慣れないユーザであっても、容易に伝達データを作成することができる。
【００４４】
図４は、受信問合せ情報を模式的に示す。受信問合せ情報は、伝達データのＩＤ番号、ファイル名、受信問合せ情報を送信した日時、送信システム１００の電話番号、伝達データの種類、容量、伝達データを出力すべき出力機器を示す出力先情報、及び伝達データの有効時刻を示す情報を含む。ＩＤ番号、データの種類、容量、及び出力先情報は、受信問合せ情報作成部１３４において自動的に付与される。ファイル名は、操作部１１４を介してユーザによって入力される。他の形態としては、出力すべき出力機器もユーザによって入力されてもよい。
【００４５】
このように、データの容量や種類など細かい情報は、自動的に作成されるので、ユーザは指定する必要がない。また、このように、受信システム２００に対して、伝達データの受信を許可するか否かを判断するための情報を予め送信することによって、無駄に伝達データを送るのを避けることができる。
【００４６】
図５は、受信システム２００の概略機能ブロックを示す。受信システム２００は、通信機能を備えた端末であってもよい。受信システム２００は、一例として端末のメインＣＰＵと、メインメモリや不揮発性メモリに格納、またはロードされたプログラムの連携によって実現することができる。メインＣＰＵが内蔵メモリをもつ場合にはその内蔵メモリに必要なプログラムを格納し、諸機能をファームウエアとして実現してもよい。
【００４７】
受信システム２００は、送信部２１０、受信部２１２、データ監視部２１４、操作部２１８、表示部２２０、転送部２３２、及び出力部２３４を有する。データ監視部２１４は、判断部２１６、受信許可条件保持部２２２、メモリ２３０、及びメモリ監視部２３６を含む。
【００４８】
受信部２１２は、通信網４００を介して送信システム１００から受信問合せ情報を受信し、メモリ２３０に送る。受信部２１２はまた、送信システム１００または伝達データサーバ３００から伝達データを受信し、メモリ２３０に送る。
【００４９】
受信許可条件保持部２２２は、受信許可条件を保持する。受信許可条件は、受信システム２００が受信を許可する伝達データの条件である。受信許可条件として、送信システム１００の電話番号、伝達データのデータ容量、データの種類、及び伝達データを出力すべき出力機器が指定されている。
【００５０】
判断部２１６は、メモリ２３０に保持される受信問い合わせ情報と受信許可条件保持部２２２に保持された受信許可条件とを比較し、受信問合せ情報が受信許可条件を満たすか否かを判断する。すなわち受信問い合わせ情報が示す伝達データを受信するか否かを判断する。判断部２１６はまた、操作部２１８からの入力によって受信問い合わせ情報が示す伝達データを受信するか否かを判断する。判断部２１６は、判断結果に基づいて応答情報を作成し、作成した応答情報を送信システム１００に送ることを送信部２１０に対して指示する。判断部２１６はまた、メモリ監視部２３６からの通知に基づいて送信部２１０に対して伝達データを受信したい旨を示す受信要求を送信させる。判断部２１６は、出力部２３４から出力に関する内容を示す出力情報を受け取り、出力情報に基づいてメモリ２３０に保持される伝達データを保持するか、削除するか判断する。
【００５１】
メモリ２３０は、受信部２１２から受け取った受信問い合わ情報及び伝達データを保持する。メモリ２３０は伝達データとして雛形、雛形情報及び修飾データを保持する。複数の伝達データが同一の雛形で構成される場合は、メモリ２３０は、その雛形を１つだけ保持する。このように、伝達データが雛形及び修飾データで構成されているので、同一の雛形を複数保持するのを避けることができる。従って、メモリを有効に使用することができる。
【００５２】
メモリ監視部２３６は、メモリ２３０に保持される受信問い合わせ情報に示される有効時刻及びメモリ２３０の空き容量を監視する。メモリ監視部２３６は、メモリ２３０の空き容量に応じて伝達データを受信したい旨を判断部２１６に通知する。メモリ監視部２３６はまた、メモリ２３０に保持される伝達データを出力する順番、すなわち出力順位を決定する。有効時刻になると読出部２３２に対して読み出しを開始することを指示する読出し開始命令を送る。
【００５３】
読出部２３２は、読出し開始命令を受け取ると、メモリ２３０から伝達データを読み出して、出力部２３４に送る。読出部２３２は、伝達データ及び受信問い合わせ情報に含まれる出力先情報をデコードする。読出部２３２はまた、伝達データが圧縮されている場合は伸張処理を施す。出力部２３４は、読出部２３２から受け取った伝達データを出力する。
【００５４】
表示部２２０は、例えばモニタやＬＣＤパネルであってもよい。伝達データの送信状況等を表示する。操作部２１８は、例えばキーボードやマウスなどであってもよく、これによって、適宜ユーザからの命令を受け付ける。
【００５５】
送信部２１０は、判断部２１６から応答情報及び受信要求を受け取り、通信網４００を介して送信システム１００及び伝達データサーバ３００に送信する。
【００５６】
図６は、出力部２３４の概略機能ブロックを示す。出力部２３４は、出力制御部２４０、プリンタ２４２、モニタ２４４、及び出力情報生成部２５０を含む。出力制御部２４０は、伝達データの出力先情報に基づいて、読出部２３２から受け取った伝達データをプリンタ２４２、モニタ２４４、及びスピーカ２４６のうちいずれに出力するかを判断し、選択した出力機器に伝達データを送る。このように、複数の出力機器を有するので、静止画データ、動画データ、及び音声データなど複数の種類の伝達データを出力することができる。出力部２３４は、出力に関する内容の出力情報を生成し送信部２１０に送る。出力部２３４はまた、出力情報を判断部２１６に送る。
【００５７】
出力制御部２４０は、伝達データの出力状況を出力情報生成部２５０に通知する。出力情報生成部２５０は、出力制御部２４０から受け取った通知に基づいて、伝達データの出力に関する内容を示す出力情報を生成する。出力情報生成部２５０は、生成した出力情報を送信部２１０に送る。
【００５８】
図７は、メモリ２３０が保持する伝達データの一覧を示す。メモリ２３０は、受信問い合わせ情報を保持し、この受信問い合わせ情報が示す伝達データがメモリ２３０に保持されている場合、対応する受信問い合わせ情報及び伝達データを対応関係が認識できる形式保持する。
【００５９】
このように、対応する受信問い合わせ情報及び伝達データが対応関係を認識可能に保持されるので、判断部２１６は、受信問い合わせ情報を受信した伝達データを受信したか否かを容易に認識することができる。
【００６０】
伝達データに付与された優先順位は、出力の順位を示し、メモリ監視部２３６によって付与される。優先順位は、予め定められた条件に基づいて決定される。例えば、予め定められた条件として、優先する送信元を予め登録し、登録された送信元から受信した伝達データを優先して出力することにしてもよい。また例えば、予め定められた条件として送信要求を受信した順番に従って伝達データの出力の順番を決めてもよい。有効時刻が同時刻の伝達データは、優先順位を付与されてメモリ２３０に保持される。このように、有効時刻が同時刻の複数の伝達データを保持する場合にいずれの伝達データから読み出すかが予め定められている。従って、この順番に伝達データを出力させることができる。
【００６１】
メモリ２３０は、同一の雛形を有さず、同一の雛形で構成される伝達データを受け取った場合は、雛形情報のみを保持するので、メモリ２３０の容量を有効に活用することができる。
【００６２】
例えばクリスマスなど行事がある時期は、たくさんのユーザがデータを送信し、通信網４００が混雑することが予想される。そのため、ユーザが希望する時刻に伝達データを受信するのは困難である。しかし、このように本実施の形態のメモリ２３０は、有効時刻よりも前に伝達データを保持しているので、通信網４００の混雑に関係なく、有効時刻に確実に伝達データを出力することができる。
【００６３】
図８は、伝達データサーバ３００を示す。伝達データサーバ３００は、データベース３１０、受信部３５０、送信部３５２、メモリ３６０、有効時刻監視部３６２、及び処理部３６４を有する。
【００６４】
受信部３５０は、送信システム１００から伝達データを受信し、メモリ３６０に送る。受信部３５０はまた、雛形を送信することを示す雛形要求を送信システム１００から受信し、伝達データを送信することを示す受信要求を受信システム２００から受信する。受信部３５０は、雛形要求及び受信要求を処理部３６４に送る。メモリ３６０は、受信部３５０から受け取った伝達データを保持する。
【００６５】
処理部３６４は、受信部３５０から受信要求を受け取ると、受信要求が示す伝達データをメモリ３６０から抽出し、送信部３５２を介して受信システム２００に送信する。処理部３６４はまた、雛形要求を受け取ると、雛形要求に示される雛形をデータベース３１０から抽出し、送信部３５２を介して送信システム１００に送信する。
【００６６】
データベース３１０は、伝達データの雛形を複数保持する。データベース３１０に保持される雛形は、所定の期間経過すると更新され、新しい雛形が追加されてもよく、また使用されなくなった雛形を削除してもよい。また、データベース３１０は、通信網４００を介して伝達データサーバ３００の外部から取得した雛形をさらに追加して保持してもよい。このように、データベース３１０が保持する雛形は所定の期間で更新されるので、常にユーザの希望する雛形を提供することができる。
【００６７】
図９は、データベース３１０を示す。データベース３１０は、雛形データベース３１２は、カードデータベース３１４、コメントデータベース３１６、手紙データベース３１８、動画データベース３２０、及び音楽データベース３２２を含む。これらのデータは、いずれも雛形と雛形を指定する雛形情報が対応付けて保持されている。また、雛形及び雛形情報は、送信システム１００及び受信システム２００は、データ伝送システムを介してこれらの雛形を取得する。このように、雛形データベース３１２は、様々な雛形を保持するので、送信システム１００のユーザは、これらを使用して所望の伝達データを作成することができる。
【００６８】
このように、伝達データサーバ３００は、伝達データを保持する。そのため、送信システム１００は送信したい伝達データを受信システム２００が受信するまで保持しなくてもよい。また、受信システム２００は、有効時刻まで時間がある伝達データを予め保持しなくてもよい。従って、送信システム１００及び受信システム２００は、効率的にメモリを使用することができる。
【００６９】
図１０は、データベース３１０が保持する雛形の一例を示す。図１０（Ａ）は、カードデータベース３１４、図１０（Ｂ）は、コメントデータベース３１６である。カードデータベース３１４は、様々なジャンルのカードを保持する。本図に一例としてＣＡＲＤ１〜３までを示す。これ以外にも様々なジャンルのカードを保持してもよい。また、ＣＡＲＤ１に対して、Ｃ１１、Ｃ１２、Ｃ１３…と、複数のカードを保持する。このように、各ジャンルについて複数の雛形が準備されているので、既製の雛形を用いても、ユーザの希望に近い伝達データを容易に伝達データを作成することができる。
【００７０】
図１１は、データ伝送システムを介して送信システム１００から受信システム２００に伝達データを送信するときの送信システム１００、受信システム２００、及び伝達データサーバ３００の動作を示すフローチャートである。
【００７１】
送信システム１００の伝達データ作成部１３０は、受信システム２００に送信する伝達データを作成する（Ｓ１００）。次に、有効時刻指定部１３２は、伝達データの有効時刻データを作成し、伝達データに付与する（Ｓ１０２）。受信問合せ情報作成部１３４は、伝達データに対応する受信問合せ情報を作成する（Ｓ１０４）。次に、送信部１２０は、作成した受信問合せ情報を受信システム２００に送信する（Ｓ１０６）。次に、受信システム２００の送信部２１０は、受信問合せ情報を受信する。判断部２１６は、送信部２１０が受信した受信問合せ情報が示す伝達データを受信するか否かを判断する（Ｓ１１０）。判断部２１６が伝達データの受信を許可すると、受信部２１２は、受信許可を送信システム１００に通知する（Ｓ１１２）。
【００７２】
次に、判断部２１６は、メモリ２３０の空き容量を確認する。メモリ２３０が、受信問合せ情報に示された伝達データを保持するのに十分な空きを有す場合（Ｓ１４０）、判断部２１６は、送信部２１０を介して、送信システム１００から伝達データを受信する旨を送信システム１００に通知する。受信部２１２は、送信システム１００から伝達データを受信する（Ｓ１４０）。メモリ２３０は、受信部２１２から伝達データを受け取って保持する。
【００７３】
Ｓ１１４で、メモリ２３０が受信問合せ情報に示された伝達データを保持するのに十分な空きを有さない場合は、判断部２１６は、送信部２１０を介して、伝達データを伝達データサーバ３００に保持させる旨を送信システム１００に通知する（Ｓ１１６）。次に、送信システム１００の送信部２１０は、メモリ１３６に保持された伝達データを伝達データサーバ３００に送信する（Ｓ１１８）。次に、伝達データサーバ３００の受信部３５０は、伝達データを受け取り、データベース３１０に送る。データベース３１０は、伝達データを保持する（Ｓ１２０）。
【００７４】
次に、受信システム２００の判断部２１６は、メモリ２３０の空き容量を監視する。メモリ２３０が、伝達データサーバ３００に保持されている伝達データを保持するのに十分な空きを有した場合、及び有効時刻が近づいた場合は（Ｓ１３０）、判断部２１６は、伝達データを受信したい旨を示す受信要求を送信部２１０を介して、伝達データサーバ３００に通知する（Ｓ１３２）。伝達データサーバ３００の受信部３５０が受信要求を受け取ると、受信要求が示す伝達データをデータベース３１０から抽出し、送信部３５２は、伝達データを受信システム２００に送信する（Ｓ１３４）。受信システム２００の受信部２１２は伝達データを受信すると、メモリ２３０に送り、メモリ２３０は、伝達データを保持する。
【００７５】
次に、メモリ監視部２３６は、メモリ２３０に保持された伝達データの有効時刻を監視する。有効時刻になると（Ｓ１５０）、メモリ監視部２３６は、読出部２３２に対して読出し開始命令を送る。読出部２３２は、読出し開始命令に示された伝達データをメモリ２３０から読み出して、出力部２３４に送る。出力部２３４は、伝達データを出力する（Ｓ１５２）。以上で、伝達データの送信が終了する。
【００７６】
図１２は、伝達データ作成段階（Ｓ１００）における送信システム１００の伝達データ作成部１３０の詳細な動作を示すフローチャートである。伝達データサーバ３００から雛形を取得する場合（Ｓ２００）、ユーザは、表示部１１２、操作部１１４を用いて、伝達データサーバ３００から所望の雛形を取得し、雛形保持部１４４に保持させる（Ｓ２０２）。このように、雛形保持部１４４に保持される雛形を新たに取得したり、使わなくなった雛形を雛形保持部１４４から削除したりすることができる。これによって、ユーザが使用する機会の多い雛形だけを雛形保持部１４４に保持させることができる。
【００７７】
次に、ユーザは、表示部１１２及び操作部１１４を用いて、所望の雛形を選択する（Ｓ２０４）。Ｓ２００で、伝達データサーバ３００から雛形を取得しない場合は、Ｓ２０４にジャンプする。次に、修飾データ作成部１４２は、雛形選択部１４０によって選択された雛形を加工する修飾データを作成する（Ｓ２０６）。
【００７８】
図１３は、図１１で説明した伝達データ作成段階（Ｓ１００）において、表示部１１２に表示される画面の一例を示す。ユーザーが、操作部１１４を介してカードの雛形を選択すると、表示部１１２は、カード一覧表５００を表示する。ユーザは、ここに表示されたカードの中から所望のカードを選択する。ユーザがＣ２のクリスマスカードを選択すると、表示部１１２が表示する画面は、カード一覧表５００からクリスマスカード一覧表５０２に変化する。クリスマスカード一覧表５０２は、複数のクリスマスカードの図案を含む。ユーザは、操作部１１４を介してこの中から所望の図案を選択する。
【００７９】
図１４は、図１２で説明した修飾データ作成段階（Ｓ２０６）において表示部１１２に表示される修飾データ作成画面５０４を示す。このように、雛形選択段階で指定した雛形が表示され、この雛形を加工する内容が表示される。ユーザは、修飾データ作成画面５０４に表示された質問に沿って修飾データを作成する。クリスマスカードにコメントを挿入したい場合は、「挿入コメント？」に対し、「ＹＥＳ」を選択する。このとき、表示部１１２はさらに、画面にコメントを入力する入力画面５０６を表示する。ユーザは、ここに好みのコメントを入力する。ユーザはさらに、入力画面５０６に従って、伝達データを送る送信先の電話番号及び伝達データの有効時刻を入力する。
【００８０】
図１５は、図１１で説明した受信問合せ情報確認段階（Ｓ１１０）における受信システム２００の詳細な動作を示すフローチャートである。判断部２１６は、送信部２１０を介して送信システム１００から受信問合せ情報を受け取ると、受信問合せ情報に示された情報を受信許可条件保持部２２２に表示された内容と比較する。受信問合せ情報に示された送信元の電話番号が受信許可条件保持部２２２に登録されている場合（Ｓ３００）、判断部２１６は、送信元に関して許可と判断する。これによって、送信元が不明な伝達データを受信するのを避けることができる。
【００８１】
次に、判断部２１６は、受信問合せ情報に示された出力機器に出力できるか否かを判断する。出力できる場合（Ｓ３０２）、判断部２１６は、出力機器に関して許可と判断する。このように、出力機器についても考慮するので、例えば、スピーカを有さない出力システム６００を有している場合に音声の伝達データを受信するのを避けることができる。
【００８２】
次に、判断部２１６は、受信問い合わせ情報に示されたデータ容量が所定のデータ容量以下であるか否かを判断する。所定の容量以下である場合（Ｓ３０２）、判断部２１６は、この受信問合せ情報が示す伝達データの受信を許可する。判断部２１６は、受信の許可を示す（Ｓ３０６）。このように、予め登録された電話番号以外の送信元からの伝達データを受信しないので、送信元が不明な伝達データを受信するのを避けることができる。
【００８３】
Ｓ３００で、受信問合せ情報に示された電話番号が受信許可条件保持部２２２に登録されていない場合、及びＳ３０２で、受信問合せ情報に示されたデータ容量が所定のデータ容量以下でない場合は、判断部２１６は、操作部１１４を介してユーザからの入力を受け付ける。ユーザから、受信の許可が入力されると（Ｓ３１０）、Ｓ３０６にジャンプする。Ｓ３１０でユーザから、受信の拒否が入力されると、判断部２１６は、この受信問合せ情報が示す伝達データの受信を拒否するする応答情報を作成する（Ｓ３１２）。次に、判断部２１６は、送信部２１０を介して応答情報を送信システム１００に送信する（Ｓ３１４）。以上で、伝達データの送信は終了する。
【００８４】
他の形態としては、送信システムに通知段階（Ｓ１３４）の後、伝達データサーバ３００に保持された伝達データは、送信システム１００に返信されてもよい。
【００８５】
このように、判断部２１６は、受信問合せ情報を受信すると受信許可条件保持部２２２に保持された条件に基づいて受信の拒否を判断する。従って、送信元が不明な伝達データ、データ容量が極端に大きな伝達データ、及び受信システム２００が有する出力機器に出力できない伝達データを受信するのを避けることができる。また、受信するか否かをユーザからの指示によって判断できるので、所望の伝達データのみを受け取ることができる。これによって、例えば、広告を必要としないユーザは、広告を示す伝達データの受信を拒否することができる。
【００８６】
図１６は、図１１の伝達データ保持段階（Ｓ１２０）における伝達データサーバ３００の詳細な動作を示すフローチャートである。有効時刻監視部３６２は、メモリ３６０に保持されている伝達データに付与された有効時刻データを監視する。所定の時間としては、例えば、有効時刻の一日前であってもよい。現在、有効時刻まで一日以上ある場合は（Ｓ４００）、有効時刻監視部３６２は、引き続き監視を続ける。
【００８７】
有効時刻まで一日以内になると（Ｓ４００）、有効時刻監視部３６２は、送信部３５２を介して、受信システム２００に有効時刻を通知する（Ｓ４０２）。次に、受信部３５０を介して受信システム２００から受信要求を受け取った場合は（Ｓ４０４）、伝達データ送信段階（Ｓ１３４）にジャンプする。Ｓ４０４で、受信システム２００から受信要求を受け取らなかった場合は、伝達データを送信した送信システム１００に対して、未送信データがあることを通知し、伝達データの送信は終了する（Ｓ４０６）。
【００８８】
このように、有効時刻監視部３６２は、メモリ３６０に保持された伝達データの有効時刻を監視するので、受信システム２００が受信すべき伝達データを受信するのを忘れた場合、伝達データサーバ３００から受信システム２００に対して通知することができる。従って、有効時刻よりも前に受信システム２００に確実に伝達データを送ることができる。
【００８９】
図１７は、図１１の出力段階（Ｓ１５２）における受信システム２００の出力部２３４の詳細な動作を示すフローチャートである。本フローチャートは、伝達データが静止画データ及び文字データなど、プリンタ２４２に出力されるべきデータである場合の出力部２３４の動作を示す。メモリ２３０に保持された伝達データの有効時刻になると、読出部２３２は、メモリ監視部２３６から読出し開始命令を受け取る。読出部２３２は、読出し開始命令に示された伝達データをメモリ２３０から読み出して、出力部２３４に送る（Ｓ５００）。次に、出力部２３４の出力制御部２４０は、指定された出力機器に伝達データを出力できるか否かを判断する。指定された出力機器に出力できる場合は（Ｓ５０２）、指定された出力機器に出力し、指定された出力機器に有効時刻に出力した旨を送信システム１００に通知する（Ｓ５０６）。
【００９０】
Ｓ５０２で、指定された出力機器に出力できない場合は、指定以外の出力機器に出力可能かどうか確認する。指定以外の出力機器に出力する場合は（Ｓ５０２）、Ｓ５０４で、指定以外の出力機器に有効時刻に出力した旨を送信システム１００に通知する。
【００９１】
Ｓ５０２で、指定以外に出力機器に出力できない場合は、出力制御部２４０は、伝達データの出力を中止する。次に、Ｓ５０４にジャンプし、伝達データを出力できなかった旨を送信システム１００に通知する。以上で、出力段階（Ｓ１５２）が終了する。
【００９２】
このように、送信システム１００は、出力結果の通知を受信するので、送信システム１００のユーザは、送信した伝達データが出力されたことを確認することができる。
【００９３】
例えば、出力制御部２４０は、出力先情報がプリンタ２４２を指定する受信問い合わせ情報が示す伝達データとして静止画データを受け取る。出力部２３４がプリンタ２４２を有さない場合、プリンタ２４２が故障している場合、及びプリンタ２４２が割り込みなどによって他のデータを出力している場合などのようにプリンタ２４２に出力できない場合、出力制御部２４０は、プリンタ２４２にかえてモニタ２４４など静止画データを出力可能な出力機器に出力する。このとき、出力情報生成部２５０は、伝達データをモニタ２４４に出力した内容の出力情報を生成し、送信部２１０を介して送信システム１００に通知する。
【００９４】
図１８は、図１１の出力段階（Ｓ１５２）における出力部２３４の詳細な動作を示すフローチャートである。本フローチャートは、出力される伝達データが動画データ及び音声データである場合の出力部２３４の動作を示す。
【００９５】
メモリ監視部２３６は、メモリ２３０に保持される伝達データの有効時刻を監視する。メモリ２３０に保持される動画の伝達データの有効時刻になると（Ｓ６００）、判断部２１６は、表示部２２０を介してユーザに通知する（Ｓ６０２）。次に、ユーザから操作部１１４を介して伝達データの出力を許可する指示が入力されると（Ｓ６０４）、読出部２３２は、伝達データの読み出しを開始し、モニタ２４４に動画が出力される（Ｓ６０６）。次に、出力が完了すると、出力が完了した旨が信システム１００に通知される（Ｓ６０８）。以上で、出力段階（Ｓ１５２）が終了する。
【００９６】
出力される伝達データが音声データの場合は、伝達データが画像データの場合とほぼ同様である。伝達データが音声データの場合、Ｓ６０４でユーザから伝達データの出力を許可する指示が入力されると、スピーカ２４６から音声が出力される点で異なる。これ以外の出力部２３４の動作は、伝達データが動画データの場合と同様である。このように、ユーザに認識してもらえる状況であることを確認してから伝達データを出力するので、例えば、ユーザが居ないときに、モニタ２４４に動画データが出力されるのを避けることができる。
【００９７】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００９８】
そうした第１の変更例としては、本実施の形態では、送信システム１００は、伝達データを受信システム２００のメモリ２３０が容量の空きを有さない場合のみ、伝達データサーバ３００に送信したが、送信システム１００は、受信要求を受信システム２００に送信し、次に伝達データを伝達データサーバ３００に送信してもよい。これによって、送信システム１００は、受信問い合わせに対する応答情報を受信システム２００から受信するまで伝達データを保持しなくてもよい。また、受信システム２００は、例えば、有効時刻が１ヶ月以上先の伝達データなど、まだ保持する必要の無い伝達データを伝達データサーバ３００に保持させておくことができる。
【００９９】
第２の変更例としては、雛形データベース３１２は、ユーザによって作成された雛形を取得して、保持してもよい。これによって、より多様な雛形を確保することができ、また日々更新されるのでよユーザの要求にあった雛形を保持することができる。
【０１００】
第３の変更例としては、本実施の形態の受信問合せ情報に含まれる送信元を識別する情報は、送信システム１００のユーザの電話番号であったが、電話番号にかえて、ユーザの電子メールアドレスであってもよい。このように、電子メールアドレスによっても、送信元を特定することができる。また、電話番号の他に、送信元を特定するためのＩＤなどの情報をさらに付加してもよい。
【０１０１】
第４の変更例としては、本実施の形態の受信システム２００のメモリ２３０は、受信問い合わせ情報に示された伝達データを保持するのに十分な空きを有さない場合、伝達データを伝達データサーバ３００に保持させた。これに対し、受信システム２００のメモリ２３０が、受信問い合わせ情報に示された伝達データを保持するのに十分な空きを有さない場合であっても、この伝達データの有効時刻が近づいている場合は、これよりも遅い有効時刻を指定する伝達データを伝達データサーバ３００に送信し、受信問い合わせ情報に示された伝達データを保持してもよい。これによって、受信システム２００は、確実に有効時刻に伝達データを出力することができる。
【０１０２】
第５の変更例としては、伝達データサーバ３００は、伝達データの有効時刻を監視しなくともよい。この場合、伝達データサーバ３００は受信システム２００から受信要求を受け取った場合に、伝達データを受信システム２００に送信する。
【０１０３】
第６の変更例としては、本実施の形態では、出力制御部２４０は、出力先情報に基づいて伝達データの出力先を決定したが、出力先情報を受け取らず、伝達データのデータ形式から伝達データの出力先を決定してもよい。
【０１０４】
第７の変更例としては、本実施の形態の伝達データは雛形及び修飾データで構成されていたが、ユーザは雛形を使用せずに自由に伝達データを作成してもよい。
【０１０５】
【発明の効果】
上記説明から明らかなように、本発明によれば受信システム２００は、送信システム１００によって定められた時刻に伝達データを出力することができる。
【図面の簡単な説明】
【図１】データ伝送システムの概略を示す図である。
【図２】送信システム１００の概略機能ブロックを示す
【図３】伝達データ作成部１３０の概略機能ブロック図である。
【図４】受信問合せ情報を模式的に示す図である。
【図５】受信システム２００の概略機能ブロックを示す図である。
【図６】出力部２３４の概略機能ブロックを示す図である。
【図７】メモリ２３０が保持する伝達データの一覧を示す図である。
【図８】伝達データサーバ３００を示す図である。
【図９】データベース３１０を示す図である。
【図１０】データベース３１０が保持する雛形の一例を示す図である。
【図１１】データ伝送システムを介して送信システム１００から受信システム２００に伝達データを送信するときの送信システム１００、受信システム２００、及び伝達データサーバ３００の動作を示すフローチャートである。
【図１２】伝達データ作成段階（Ｓ１００）における伝達データ作成部１３０の詳細な動作を示すフローチャートである。
【図１３】図１１で説明した伝達データ作成段階（Ｓ１００）において、表示部１１２に表示される画面の一例を示す図である。
【図１４】図１２で説明した修飾データ作成段階（Ｓ２０６）において表示部１１２に表示される画面を示す図である。
【図１５】図１１で説明した受信問合せ情報確認段階（Ｓ１１０）における受信システム２００の詳細な動作を示すフローチャートである。
【図１６】図１１の伝達データ保持段階（Ｓ１２０）における伝達データサーバ３００の詳細な動作を示すフローチャートである。
【図１７】図１１の出力段階（Ｓ１５２）における出力部２３４の詳細な動作を示すフローチャートである。
【図１８】図１１の出力段階（Ｓ１５２）における出力部２３４の詳細な動作を示すフローチャートである。
【符号の説明】
１００…送信システム    １１０伝達データ処理部    １１２表示部    １１４操作部    １１６判断部    １１８受信部    １２０送信部    １３０伝達データ作成部    １３２有効時刻指定部    １３４受信要求作成部    １３６メモリ１４０雛形選択部    １４２修飾データ作成部    １４４雛形保持部    ２００受信システム    ２１０送信部    ２１２受信部    ２１４データ監視部  ２１６判断部    ２１８操作部    ２２０表示部    ２２２受信許可条件保持部    ２３０メモリ    ２３２読出部    ２３４出力部    ２３６メモリ監視部２４０出力制御部    ２４２プリンタ    ２４４モニタ    ２４６スピーカ２５０出力情報生成部    ３００伝達データサーバ    ３１０データベース３１２雛形データベース    ３１４カードデータベース    ３１６コメントデータベース    ３１８手紙データベース    ３２０動画データベース    ３２２音楽データベース    ３５０受信部    ３５２送信部    ３６０メモリ    ３６２有効時刻監視部    ３６４処理部
【図１】
0004115651.tif 000002
【図２】
0004115651.tif 000003
【図３】
0004115651.tif 000004
【図４】
0004115651.tif 000005
【図５】
0004115651.tif 000006
【図６】
0004115651.tif 000007
【図７】
0004115651.tif 000008
【図８】
0004115651.tif 000009
【図９】
0004115651.tif 000010
【図１０】
0004115651.tif 000011
【図１１】
0004115651.tif 000012
【図１２】
0004115651.tif 000013
【図１３】
0004115651.tif 000014
【図１４】
0004115651.tif 000015
【図１５】
0004115651.tif 000016
【図１６】
0004115651.tif 000017
【図１７】
0004115651.tif 000018
【図１８】
0004115651.tif 000019